(57)【要約】【課題】夜間、道路反射鏡の存在が認識しづらくなっても、この場所が安全に気を付けなければならない場所であることを認識させることができる道路反射鏡を提供する。【解決手段】透明基板１に鏡面形成材２を付着して形成した鏡面部３と、この鏡面部３の鏡面形成材２に向けて光を照射する光源部４とを備え、鏡面部３は、透明基板１上に鏡面形成材２の厚みを光源部４から照射された光を透過し得る厚みに設定した半透鏡部５と透過し得ない厚みに設定した全鏡部６を形成した構成とすると共に、半透鏡部５の形状をこの鏡面部３を視認した人に通行の際に注意を喚起する文字に設定した構成として、光源部４が点灯した際、この光源部４から照射された光が半透鏡部５を透過して鏡面部３表面に通行の際に注意を喚起する文字が表示される表示灯となるように構成した道路反射鏡。【選択図】図３
2014047556.tif 000002
【特許請求の範囲】
【請求項１】
交差点やカーブ手前に設置され、死角となる方向の様子を手前から視認することができる道路反射鏡において、透明基板に鏡面形成材を付着して形成した鏡面部と、この鏡面部の前記鏡面形成材に向けて光を照射する光源部とを備え、前記鏡面部は、前記透明基板上に前記鏡面形成材の厚みを前記光源部から照射された光を前記透明基板側に透過し得る厚みに設定した半透鏡部と透過し得ない厚みに設定した全鏡部とを形成した構成とすると共に、前記半透鏡部の形状をこの鏡面部を視認した人に通行の際に注意を喚起する文字に設定した構成として、前記光源部が消灯している場合は、前記鏡面部は反射鏡となり、前記光源部が点灯した場合は、この光源部から照射された光が前記半透鏡部を透過して前記鏡面部表面に通行の際に注意を喚起する文字が表示される表示灯となるように構成したことを特徴とする道路反射鏡。
【請求項２】
前記鏡面部は、前記透明基板上に前記鏡面形成材を前記光源部から照射された光を透過し得る厚みとなるように付着し、次いで、この鏡面形成材を付着した透明基板上の前記半透鏡部を形成する位置にマスク部を設け、次いで、前記透明基板上に前記鏡面形成材を、前記マスク部を設けた部分以外の前記鏡面形成材の厚みが前記光源部から照射された光を透過し得ない厚みとなるように付着し、次いで、前記マスク部を除去して、前記半透鏡部と前記全鏡部とを形成した構成としたことを特徴とする請求項１記載の道路反射鏡。
【発明の詳細な説明】
【技術分野】
【０００１】
本発明は、交差点やカーブ手前に設置され、死角となる方向の様子を手前から視認することができる道路反射鏡に関するものである。
【背景技術】
【０００２】
道路反射鏡は、家や塀等によって死角が生じ見通しの悪くなった住宅街の交差点や山道の対向車の存在が確認できないような急なカーブの手前等に設置されるものである。
【０００３】
従って、一般的には、自動車やバイクの運転手は、この道路反射鏡が設置されている場所は、左右方向や前方の見通しが悪く出会いがしらの事故が起き易く、通行する際は、安全に十分気を付けなければならない場所であるとの認識を持っている。
【０００４】
よって、自動車やバイクの運転手は、この道路反射鏡の存在を認識することで、この場所が安全に気を付けなければならない場所であることを認識し、この道路反射鏡で死角方向の状況、即ち、死角方向から他の車両や自転車、歩行者等が接近していないかどうかの安全確認を行ったうえで、十分安全に注意して交差点やカーブに進入し、出会いがしらの事故の発生を未然に防いでいる。
【発明の概要】
【発明が解決しようとする課題】
【０００５】
しかしながら、従来の道路反射鏡は、夜間、周囲が暗くなると、鏡面部で死角方向の状況を確認することができなくなるばかりか、道路反射鏡の存在そのものが認識しづらくなってしまうので、自動車やバイク等の運転手は、この場所が安全に気を付けなければならない場所であることを認識することができなくなってしまい、安全確認を怠り、事故を起こしてしまう可能性がある。
【０００６】
本発明は、上述のような現状に鑑みなされたもので、夜間、周囲が暗くなっても、この場所が安全に気を付けなければならない場所であることを確実に自動車やバイク等の運転手や歩行者に認識させることができる道路反射鏡を提供することを目的とする。
【課題を解決するための手段】
【０００７】
添付図面を参照して本発明の要旨を説明する。
【０００８】
交差点やカーブ手前に設置され、死角となる方向の様子を手前から視認することができる道路反射鏡において、透明基板１に鏡面形成材２を付着して形成した鏡面部３と、この鏡面部３の前記鏡面形成材２に向けて光を照射する光源部４とを備え、前記鏡面部３は、前記透明基板１上に前記鏡面形成材２の厚みを前記光源部４から照射された光を前記透明基板１側に透過し得る厚みに設定した半透鏡部５と透過し得ない厚みに設定した全鏡部６を形成した構成とすると共に、前記半透鏡部５の形状をこの鏡面部３を視認した人に通行の際に注意を喚起する文字に設定した構成として、前記光源部４が消灯している場合は、前記鏡面部３は反射鏡となり、前記光源部４が点灯した場合は、この光源部４から照射された光が前記半透鏡部５を透過して前記鏡面部３表面に通行の際に注意を喚起する文字が表示される表示灯となるように構成したことを特徴とする道路反射鏡に係るものである。
【０００９】
また、前記鏡面部３は、前記透明基板１上に前記鏡面形成材２を前記光源部４から照射された光を透過し得る厚みとなるように付着し、次いで、この鏡面形成材２を付着した透明基板１上の前記半透鏡部５を形成する位置にマスク部を設け、次いで、前記透明基板１上に前記鏡面形成材２を、前記マスク部を設けた部分以外の前記鏡面形成材２の厚みが前記光源部４から照射された光を透過し得ない厚みとなるように付着し、次いで、前記マスク部を除去して、前記半透鏡部５と前記全鏡部６とを形成した構成としたことを特徴とする請求項１記載の道路反射鏡に係るものである。
【発明の効果】
【００１０】
本発明は上述のように構成したから、日中の明るい時は、通常の道路反射鏡として死角方向の様子を鏡面部に映し出すことができ、また、夜間、暗くなって鏡面部を認識することができず、更に、この道路反射鏡自体の存在も認識しづらい状況になっても、鏡面部が、例えば「歩行者注意」や「自転車注意」等の通行する際に注意を喚起するような文字が表示される表示灯となるので、自動車やバイクの運転手は、この表示灯に表示された文字を見ることによって、この場所が安全に気を付けなければならない場所であることを認識することができ、事故を起こさないように死角方向に対して十分に注意を払いながら進入するようになり、これによって、出会いがしらの事故の発生を未然に防ぐことができる実用性に優れた画期的な道路反射鏡となる。
【００１１】
また、請求項２記載の発明においては、光源部が消灯している場合は、鏡面部が反射鏡となり、光源部が点灯した場合は、鏡面部が光源部から照射された光が半透鏡部を透過して鏡面部表面に通行の際に注意を喚起する文字が表示される表示灯となる構成を、簡易に設計実現可能となり、しかも、半透鏡部以外の場所を光源部から照射された光が透明基板側へ透過できないようにする構成を、鏡面形成材を厚くすることで実現したことによって、屋外という劣悪な環境下に設置しても、耐久性に優れ半透鏡部の形状を良好に保持することができる実用性且つ生産性に優れた画期的な道路反射鏡となる。
【図面の簡単な説明】
【００１２】
【図１】本実施例を示す側断面図である。
【図２】本実施例の夜間における使用状態を示す説明斜視図である。
【図３】本実施例の鏡面部の要部を示す断面図である。
【図４】本実施例の日中における使用状態を示す説明斜視図である。
【発明を実施するための形態】
【００１３】
好適と考える本発明の実施形態を、図面に基づいて本発明の作用を示して簡単に説明する。
【００１４】
本発明は、日中の明るい状況の中では、鏡面部３の表面は全面が鏡面となっているので、通常の道路反射鏡同様に、家や塀等によって死角が生じ見通しの悪くなった住宅街の交差点や山道の対向車の存在が確認できないような急なカーブの手前等に設置することで、死角方向の状況確認、即ち、死角方向から他の車両や自転車、歩行者等が接近していないかどうかの安全確認を鏡面部３で行うことができる。
【００１５】
また、夜間、周囲が暗くなった状況の中で、光源部４が点灯すると、この光源部４から照射された光が半透鏡部５を透過して、鏡面部３の半透鏡部５を形成した部分が明るくなり、鏡面部３は、表面に半透鏡部５の形状が浮かび上がる表示灯となる。
【００１６】
本発明においては、この半透鏡部５の形状を、鏡面部３を視認した人に通行の際に注意を喚起する文字形状、例えば「歩行者注意」や「自転車注意」という文字形状に設定した構成としたので、鏡面部３表面には、この「歩行者注意」或いは「自転車注意」といった自動車やバイクなどの運転手や歩行者に対して通行の際に注意を促すような文字が表示される。
【００１７】
これによって、夜間、暗くなって道路反射鏡の存在が認識しづらくなっても、この鏡面部３に表示されている文字に運転手や歩行者が気付き、この場所が安全に気を付けばければならない場所であることを認識することができ、これにより、運転手や歩行者は、この場所を、事故を起こさないように死角方向に対して十分に注意を払いながら進入するようになり、夜間、道路反射鏡としての効果が発揮されなくても、見通しの悪い交差点や急カーブの道などで事故の発生を未然に防ぐことができる。
【００１８】
このように、本発明は、日中は通常の道路反射鏡としての効果を発揮し、夜間は、この場所が安全に気を付けばければならない場所であることを運転手や歩行者に認識させるための通行の際に注意を喚起する文字を表示する表示灯としての効果を発揮する実用性に優れた画期的な道路反射鏡となる。
【実施例】
【００１９】
本発明の具体的な実施例について図面に基づいて説明する。
【００２０】
本実施例は、交差点やカーブ手前に設置され、死角となる方向の様子を手前から視認することができる道路反射鏡において、透明基板１に鏡面形成材２を付着して形成した鏡面部３と、この鏡面部３の前記鏡面形成材２に向けて光を照射する光源部４とを備え、前記鏡面部３は、前記透明基板１上に前記鏡面形成材２の厚みを前記光源部４から照射された光を前記透明基板１側に透過し得る厚みに設定した半透鏡部５と透過し得ない厚みに設定した全鏡部６を形成した構成とすると共に、前記半透鏡部５の形状をこの鏡面部３を視認した人に通行の際に注意を喚起する文字に設定した構成として、前記光源部４が消灯している場合は、前記鏡面部３は反射鏡となり、前記光源部４が点灯した場合は、この光源部４から照射された光が前記半透鏡部５を透過して前記鏡面部３表面に通行の際に注意を喚起する文字が表示される表示灯となるように構成したものである。
【００２１】
以下に、本実施例の道路反射鏡７について詳細に説明する。
【００２２】
本実施例の道路反射鏡７は、図１に示すように、凸状湾曲面（凸面鏡）に形成した鏡面部３と、光源部４を設けた裏板部８と、光源部４から照射された光を拡散する拡散板９と、鏡面部３の雨よけや雪よけとして付設するフード部10と、光源部４に電源を供給する電源部11とで構成している。
【００２３】
具体的には、鏡面部３は、アクリル樹脂からなる透明基板１に鏡面形成材２を付着（具体的には、本実施例ではアルミニウムを蒸着）して形成した構成としている。
【００２４】
また、この鏡面部３は、この透明基板１に鏡面形成材２を付着する際、付着量、即ち鏡面形成材２の厚みを異ならせてこの透明基板１上に半透鏡部５と全鏡部６とを形成した構成とし、具体的には、半透鏡部５は、鏡面形成材２の厚みを後述する光源部４から照射される光が透過し得る厚みに設定した構成とし、全鏡部６は、厚みが光源部４から照射される光を透過し得ない厚みに設定した構成としている。
【００２５】
また、本実施例では、この半透鏡部５の形状を、この鏡面部３を視認した人に通行の際に注意を喚起する文字に設定して、光源部４が点灯した際、この光源部４から照射された光が半透鏡部５を透過することによって鏡面部３表面に通行の際に注意を喚起する文字が表示されるように構成している。
【００２６】
具体的には、本実施例では、半透鏡部５の形状を、「歩行者注意」及び「自転車注意」という自動車やバイクの運転手に対して注意を喚起する文字に設定した構成として、光源部４が点灯した際に、図２に示すように、鏡面部３表面に「歩行者注意」及び「自転車注意」の文字が点灯表示されるように構成している。
【００２７】
尚、この半透鏡部５の形状は、上記に限定されるものではなく、歩行者や自転車に乗っている人に対して注意を喚起するような文字形状、例えば「飛び出し注意」や、全ての人を対象とした「安全確認」、「左右確認」などの文字形状に形成しても良い。
【００２８】
本実施例では、この半透鏡部５と全鏡部６とを透明基板１上に形成する際、以下のようにして形成している。
【００２９】
先ず、透明基板１上（裏面側）の全面に鏡面形成材２を光源部４から照射された光を透過し得る厚みとなるように付着してこの透明基板１上全面に半透鏡層を形成し、次いで、この半透鏡層上の半透鏡部５を形成する位置にこれ以降透明基板１上に鏡面形成材２を付着させないためのマスク部を付着する。
【００３０】
このマスク部を付着したまま、更に、透明基板１上全面に鏡面形成材２を、この透明基板１上のマスク部を設けた部分以外、即ち全鏡部６となる部分の鏡面形成材２の厚みが光源部４から照射された光を透過し得ない厚みとなるように付着し、次いで、この透明基板１に付着させた鏡面形成材２を保護する保護材12（本実施例では、一般的な塗料を使用）を全面に付着し、この保護材12を付着した後、マスク部を除去することで、図３に示すような、マスク部を付着していた部分は、鏡面形成材２の厚みが光源部４から照射された光を透過し得る厚みとなった半透鏡部５が形成され、これ以外の部分は、鏡面形成材２の厚みが光源部４から照射された光を透過し得ない厚みとなり上層に保護材12が被覆された全鏡部６が形成される。
【００３１】
このように、鏡面形成材２の厚みを異ならせて光源部４から照射される光を透過し得る半透鏡部５と、透過し得ない全鏡部６とを形成することによって、屋外という劣悪な環境下に設置しても、耐久性に優れ半透鏡部５の形状を良好に保持することができるように構成している。
【００３２】
また、上述した鏡面部３の裏面側（鏡面形成材２を付着した側）を塞ぐ裏板部８は、耐食性を有する金属板（本実施例では、ステンレス鋼板を採用）で構成し、周縁部を鏡面部３の周縁部と重合連結する構成としている。
【００３３】
また、この裏板部８は、内側面に一若しくは複数の光源部４（本実施例では、ＬＥＤを採用）を設けると共に、この光源部４の前方に配設されるように拡散板９を設けた構成とし、光源部４から照射された光をこの拡散板９によって全方向に拡散して、この光源部４から照射された光が鏡面部３に形成した半透鏡部５全体に透過するように構成している。
【００３４】
具体的には、光源部４は、道路反射鏡７の上部に配設した電源部11としての太陽電池より電源が供給される構成とすると共に、点灯及び消灯の切り替えを照度センサやタイマを用いて自動的に行われる構成としている。
【００３５】
また、本実施例では、裏板部８と拡散板９を白色処理し、鏡面部３に表示される文字が明るい白色となり、運転者や歩行者がこの鏡面部３に表示される文字を容易に認識できるように構成している。
【００３６】
また、フード部10は、庇形状に形成し、鏡面部３の上部にこの鏡面部３表面側に向けて突設した構成としている。
【００３７】
尚、図中の符号13は、鏡面部３と裏板部８との重合連結部をシールするためのシール材、符号14は、道路反射鏡７を設置するための支柱、符号15は、道路反射鏡７を支柱14に取り付けるための取付けステーである。
【００３８】
本実施例は、以上のように構成したので、以下のような作用・効果を発揮する。
【００３９】
本実施例は、透明基板１の全面に鏡面形成材２を付着したので、図４に示すように、鏡面部３全面が鏡面形成材２によって鏡面状態となっているので、日中の明るい状況の中では、従来の道路反射鏡同様に、家や塀等によって死角が生じ見通しの悪くなった住宅街の交差点や山道の対向車の存在が確認できないような急なカーブの手前等に設置することで、死角方向の状況確認、即ち、死角方向から他の車両や自転車、歩行者等が接近していないかどうかの安全確認を行うことができる。
【００４０】
また、夜間、周囲が暗くなり、道路反射鏡７の存在が認識しづらくなっても、道路反射鏡７内部に設けた光源部４が自動的に点灯して、この光源部４から照射された光が半透鏡部５を透過して、鏡面部３の半透鏡部５を形成した部分が明るくなり、鏡面部３は、表面に半透鏡部５の形状が表示される（浮かび上がる）表示灯となる。
【００４１】
具体的には、本実施例の場合、図２に示すように、鏡面部３表面に、「歩行者注意」及び「自転車注意」という自動車やバイクなどの運転手に対して通行の際に注意を促すような文字が明るい白色の文字で表示されるので、これによって、夜間、暗くなって道路反射鏡が認識しづらくなっても、この鏡面部３に表示されている文字に運転手や歩行者が容易に気付き、この場所が安全に気を付けばければならない場所であることを認識することができ、これにより、運転手や歩行者は、この場所を、事故を起こさないように死角方向に対して十分に注意を払いながら進入するようになり、夜間、道路反射鏡としての効果が発揮されなくても、見通しの悪い交差点や急カーブの道などで事故の発生を未然に防ぐことができる。
【００４２】
このように、本実施例は、日中は通常の道路反射鏡としての効果を発揮し、夜間は、この場所が安全に気を付けばければならない場所であることを運転手や歩行者に認識させるための通行の際に注意を喚起する文字を表示する表示灯としての効果を発揮する実用性に優れた画期的な道路反射鏡となる。
【００４３】
尚、本発明は、本実施例に限られるものではなく、各構成要件の具体的構成は適宜設計し得るものである。
【符号の説明】
【００４４】
１  透明基板
２  鏡面形成材
３  鏡面部
４  光源部
５  半透鏡部
６  全鏡部
【図１】
2014047556.tif 000003
【図２】
2014047556.tif 000004
【図３】
2014047556.tif 000005
【図４】
2014047556.tif 000006